(57)【要約】【課題】使用時には表示材が支持体から外れにくく、かつ表示材の差し替えの作業性が向上された工事用意匠の表示構造を提供する。【解決手段】工事用意匠の表示構造は、表示材１２を支持する支持体１１と、支持体１１に対して表示材１２を着脱可能に結合させるスナップボタン２０とを備える。スナップボタン２０は、支持体１１あるいは表示材１２に対して一体化された状態に固定される雄スナップ２１（被固定部）と、雄スナップ２１に着脱可能に嵌合することで表示材１２と支持体１１との結合を実現させる雌スナップ２０Ａ（嵌合部）と、雌スナップ２０Ａが雄スナップ２１に嵌合したときに同時にこの嵌合を外れないようにロックするロック部２２と、ロック部２２により上記嵌合のロックがなされた際に、外部から押し込まれることにより上記ロックを解除する押し込み部２３とを備える。【選択図】図３
0003185802.tif 000002
【実用新案登録請求の範囲】
【請求項１】
工事用意匠が表示された表示材の差し替えによって前記工事用意匠の変更を実現させる工事用意匠の表示構造であって、
前記表示材を支持する支持体と、当該支持体に対して前記表示材を着脱可能に結合させるスナップボタンと、
を備え、
前記スナップボタンは、前記支持体あるいは前記表示材に対して一体化された状態に固定される被固定部と、当該被固定部に着脱可能に嵌合することで前記表示材と前記支持体との結合を実現させる嵌合部と、当該嵌合部が前記被固定部に嵌合したときに同時にこの嵌合を外れないようにロックするロック部と、当該ロック部により前記嵌合のロックがなされた際に、外部から押し込まれることにより前記ロックを解除する押し込み部とを備えている、
工事用意匠の表示構造。
【請求項２】
請求項１に記載された工事用意匠の表示構造であって、
前記被固定部は、前記支持体の外表面にあてがわれた状態で、当該支持体に対して前もってタッピングねじを用いた締結によって固定されている、
工事用意匠の表示構造。
【請求項３】
請求項１に記載された工事用意匠の表示構造であって、
前記表示材は、一方側から他方側に向かって巻いて丸めることができるシートとして形成された本体シートと、当該本体シートの前記他方側の縁部から延長して設けられる延長部とを備え、
前記延長部は、前記支持体に対して巻き付けにより係合することと、前記一方側から前記他方側に向かって巻いて丸められた前記本体シートに外側から巻きつけることとが可能に構成され、
前記スナップボタンの前記被固定部および前記嵌合部は、前記延長部に対をなすように取り付けられて、当該延長部が前記支持体に対して巻き付けにより係合された状態、および、前記延長部が前記一方側から前記他方側に向かって巻いて丸められた前記本体シートの外側に巻きつけられた状態のそれぞれの状態において、互いに着脱可能に嵌合することができるように配設されている、
工事用意匠の表示構造。
【考案の詳細な説明】
【技術分野】
【０００１】
本考案は、工事用意匠が表示された表示材の差し替えによって上記工事用意匠の変更を実現させる工事用意匠の表示構造に関する。
【背景技術】
【０００２】
建築工事あるいは道路工事などの工事現場の周辺においては、工事の内容あるいは迂回路などを表示する工事用意匠を、工事標示板などの工事用意匠の表示構造を使用して表示することが行われる。ここで、工事標示板は、その工事用意匠を工事の内容および工事標示板の設置場所に応じて種々に設定したものを１回の工事において多数用意する必要があるものである。
このため、工事標示板の貸し出しを行っている企業においては、工事標示板を、それぞれに異なる工事用意匠が表示された多数の表示材を共通の支持体に対して差し替え可能とした構成とすることで、在庫として保管する必要がある上記支持体の数を少なくして、工事標示板の保管スペースを削減したいとする要望があった。
【０００３】
なお、共通の支持体に対して複数種類の表示材の差し替えを可能とする表示構造に関しては、例えば特許文献１に記載された掲示板が従来から知られている。この掲示板では、パネル状の表示材とこの表示材を支持する枠状の支持体とを複数個のクリップを介して着脱可能に結合する構成により、この各クリップを外して支持体から表示材を外し、その後に新しい表示材を支持体に結合させることを実現させる。
ここで、各クリップは支持体および表示材に対して抜け止めがされたロック状態と、支持体および表示材から自由に抜き去ることができるアンロック状態とに切り替え可能に構成されている。この構成は、掲示板の使用時において表示材が支持体から外れることを抑える作用を有する。
【先行技術文献】
【特許文献】
【０００４】
【特許文献１】特開２００３−００５６７９号公報
【考案の概要】
【考案が解決しようとする課題】
【０００５】
ところで、上記特許文献１に記載された従来の技術において、各クリップは、第１部材と第２部材とを組み合わせた構成とされ、この第２部材を第１部材に向けて押し込むことでアンロック状態からロック状態に切り替えられる。また、各クリップは、第１部材に押し込まれた第２部材をコインなどの道具を用いて引き出すことで、ロック状態からアンロック状態に切り替えられる。このため、上記従来の技術においては、各クリップにおけるロック状態からアンロック状態への切り替えに手間がかかり、表示材を差し替える際の作業性が悪いという問題が発生していた。
本考案は、工事用意匠が表示された表示材を支持体に対して着脱可能に結合する工事用意匠の表示構造において、上記結合を実現させる部材におけるロックおよびアンロックの操作を容易にすることで、使用時においては表示材を支持体から外れにくくし、表示材を差し替える際においてはこの差し替え作業の作業性を向上させることを可能とするものである。
【課題を解決するための手段】
【０００６】
上記課題を解決するために、本考案にかかる工事用意匠の表示構造は以下の手段をとる。
まず、第１の考案は、工事用意匠が表示された表示材の差し替えによって上記工事用意匠の変更を実現させる工事用意匠の表示構造である。この工事用意匠の表示構造は、表示材を支持する支持体と、この支持体に対して表示材を着脱可能に結合させるスナップボタンとを備えている。このスナップボタンは、支持体あるいは表示材に対して一体化された状態に固定される被固定部と、この被固定部に着脱可能に嵌合することで表示材と支持体との結合を実現させる嵌合部と、この嵌合部が被固定部に嵌合したときに同時にこの嵌合を外れないようにロックするロック部と、このロック部により上記嵌合のロックがなされた際に、外部から押し込まれることにより上記ロックを解除する押し込み部とを備えている。
この第１の考案によれば、支持体に前もって固定されたスナップボタンの被固定部にスナップボタンの嵌合部を嵌合させることで表示材と支持体とを結合させ、この結合と同時に結合のロックを行うことができる。このため、表示材を支持体に取り付ける作業においては、この作業を行う作業者は、容易にかつ作業性よく表示材と支持体とを外れないように結合させることができる。また、表示材を支持体から外す作業においては、この作業を行う作業者は、スナップボタンの押し込み部を外部から押し込むことで、上記結合のロックを特別な道具によらず容易に解除することができる。これにより、使用時においては表示材が支持体から外れにくく、かつ、表示材を差し替える際においてはこの差し替えの作業性が向上された工事用意匠の表示構造を提供することができる。
【０００７】
ついで、第２の考案は、上述した第１の考案において、上記被固定部は、支持体の外表面にあてがわれた状態で、この支持体に対して前もってタッピングねじを用いた締結によって固定されているものである。
この第２の考案によれば、共通して使用される支持体に前もってスナップボタンの被固定部を固定しておくことで、表示材を差し替える際に被固定部を別に扱う必要をなくして、差し替えの作業性を向上させることができる。ここで、「タッピングねじ」とは、木ねじおよびドリルねじなど、下穴を有さない対象物に直接ねじ込んでこの対象物に対する締結を行うことができるねじのことである。すなわち、上記第２の考案によれば、被固定部の支持体への固定をタッピングねじによる締結によって行うことで、支持体の種類および形状によらず、この支持体の外表面上に被固定部を作業性よく固定することが可能となる。
【０００８】
さらに、第３の考案は、上述した第１の考案において、上記表示材は、一方側から他方側に向かって巻いて丸めることができるシートとして形成された本体シートと、この本体シートの上記他方側の縁部から延長して設けられる延長部とを備え、この延長部は、支持体に対して巻き付けにより係合することと、上記一方側から上記他方側に向かって巻いて丸められた本体シートに外側から巻きつけることとが可能に構成され、上記スナップボタンの被固定部および嵌合部は、延長部に対をなすように取り付けられて、この延長部が支持体に対して巻き付けにより係合された状態、および、上記延長部が上記一方側から上記他方側に向かって巻いて丸められた本体シートの外側に巻きつけられた状態のそれぞれの状態において、互いに着脱可能に嵌合することができるように配設されているものである。
この第３の考案によれば、支持体に対して表示材の延長部を巻き付けにより係合させ、この延長部に取り付けられたスナップボタンの被固定部および嵌合部の対を互いに嵌合させることで、支持体に対して表示材を着脱可能に結合させ、この結合と同時に結合のロックを行うことができる。また、支持体から外された表示材は、その本体シートを一方側から他方側に向かって巻いて丸め、丸められた本体シートに延長部を巻きつけることで、全体を巻いて丸められた状態とすることができる。さらに、全体が巻いて丸められた状態とされた表示材において、その延長部に取り付けられたスナップボタンの被固定部および嵌合部の対を互いに嵌合させることで、上記表示材が巻いて丸められた状態から広がらないようにロックすることができる。これにより、支持体から外されて保管される表示材に必要となる保管スペースを削減するとともに、保管される表示材を取り扱いやすくすることができる。
【図面の簡単な説明】
【０００９】
【図１】本考案の第１の実施形態が適用された工事標示板の構造を表した分解斜視図である。
【図２】図１の工事標示板の使用状態を表した正面図である。
【図３】図２のＩＩＩ−ＩＩＩ線断面図である。
【図４】本考案の第２の実施形態が適用されたガードフェンスの使用状態を表した正面図である。
【図５】本考案の第３の実施形態が適用されたバリケードの使用状態を表した正面図である。
【図６】図５のＶＩ−ＶＩ線断面図である。
【図７】図５の表示材を丸めて収納した際における上記表示材の主要部分の横断面図である。
【考案を実施するための形態】
【００１０】
以下に、本考案を実施するための形態について、図面を用いて説明する。なお、以下においては、工事標示板のフレームにおける折り畳み構造など、本考案において付随的な構成について、その図示および詳細な説明を省略する。
〈第１の実施形態〉
始めに、本考案の第１の実施形態が適用された工事標示板１０の構成について、図１ないし図３を用いて説明する。この工事標示板１０は、図１および図２に示すように、工事用意匠１２Ａが表示された表示材１２をフレーム１０Ａにより立設された支持体１１に取り付けることで、工事用意匠１２Ａを離れた位置から容易に視認できるようにする工事標示板である。
【００１１】
フレーム１０Ａは、図１に示すように、従来から工事標示板のフレームとして使用されている折りたたみ式の金属フレームである。このフレーム１０Ａは、立設される支持体１１に対応した大きさおよび形状に形成されて、この支持体１１に対して一方側からあてがわれ、この支持体１１をタッピングねじ１１Ｂによる締結によって固定するようになっている。
支持体１１は、図１ないし図３に示すように、亜鉛めっきが施された薄鋼板を、所定の様式に対応した大きさおよび形状（例えば縦幅１４００［ｍｍ］、横幅５５０［ｍｍ］の長方形形状）に切り抜くことで形成されている。なお、以下においては、便宜的に、支持体１１においてフレーム１０Ａがあてがわれる側（図３で見て下側）を支持体１１の裏側とし、この裏側に対する反対側（図３で見て上側）を支持体１１の表側として説明を行う。
【００１２】
表示材１２は、図１および図２に示すように、片側の板面に工事用意匠１２Ａが表示されたダンボールプラスチックを所定の大きさおよび形状（例えば工事用意匠１２Ａに対応した大きさの長方形形状）に切り抜くことで形成される。また、表示材１２は、工事用意匠１２Ａを外部に露見させた状態で、支持体１１に対して所定の個数（例えば６［個］）のスナップボタン２０によって着脱可能に結合されている。
上記構成によれば、工事の内容および工事標示板１０の設置場所に応じて種々に設定される工事用意匠が表示された多数の表示材（図示省略）を共通の支持体１１に対して適宜差し替えることが可能となる。そして、工事標示板１０を保管する際には、上記多数の表示材と一緒に保管する必要がある支持体１１の数を少なくして、工事標示板１０の保管スペースを削減することができる。
【００１３】
ここで、表示材１２は、図１および図２に示すように、支持体１１と比べて縦幅が狭い板状に形成されて、支持体１１において表側（図２で見て紙面手前側）となる板面１１Ａの一部のみを覆うように取り付けられる。また、支持体１１の板面１１Ａのうち表示材１２によっては覆われない部分には、工事標示板１０において工事の内容によらず共通して表示されるコンテンツである共通コンテンツ１１Ｄが表示されている。この共通コンテンツ１１Ｄには、例えば図２に示す「ご迷惑をおかけします」の文字列、または、工事標示板１０を所有してこの工事標示板１０により施工する工事の表示を行う施工者の氏名または名称および連絡先（図２では電話番号）などがある。
上記構成によれば、工事標示板１０において表示されるべきコンテンツのうち、表示材１２の差し替えによらず共通して表示される共通コンテンツ１１Ｄを表示材１２に表示させる必要がなくなる。これにより、表示材１２を小さく形成して、この表示材１２を保管する際に必要となる保管スペースを削減することができる。
【００１４】
スナップボタン２０は、図３に示すように、外周に溝２１Ｂが形成された筒状の凸部２１Ａを有する雄スナップ２１と、この雄スナップ２１の凸部２１Ａが差し込まれることでこの凸部２１Ａに着脱可能に嵌合される雌スナップ２０Ａとを備えている。ここで、雄スナップ２１は、支持体１１の外表面となる板面１１Ａにあてがわれた状態で、支持体１１に対して前もって一体化された状態に固定されている。また、雌スナップ２０Ａおよび雄スナップ２１は、表示材１２に貫通して形成された取り付け孔１２Ｂに係合してこの取り付け孔１２Ｂの縁部を挟みこむことで、表示材１２と支持体１１とを結合させるようになっている。すなわち、雄スナップ２１は、本発明における「被固定部」に相当する。また、雌スナップ２０Ａは、本発明における「嵌合部」に相当する。
上記構成によれば、共通して使用される支持体１１に前もって雄スナップ２１を固定しておくことで、表示材１２を差し替える際に雄スナップ２１を別に扱う必要をなくして、差し替えの作業性を向上させることができる。また、表示材１２に雌スナップ２０Ａを固定しないため、この雌スナップ２０Ａを適宜差し替えられる多数の表示材（図示省略）に対して共通して使用して、雌スナップ２０Ａに必要となるコストを削減することができる。
【００１５】
雄スナップ２１は、図１および図３に示すように、支持体１１において裏側（図３で見て下側）からフレーム１０Ａがあてがわれた部分の表側（図３で見て上側）に配設されている。そして、雄スナップ２１は、図３に示すように、凸部２１Ａの筒の内部に形成されたねじ孔２１Ｃから支持体１１を貫通してフレーム１０Ａに達するようにタッピングねじ１１Ｃがねじ込まれることにより、支持体１１およびフレーム１０Ａの両方に対して締結されている。
上記構成によれば、雄スナップ２１の支持体１１への固定をタッピングねじ１１Ｃによる締結によって行うことで、支持体１１の種類および形状によらず、この支持体１１の外表面上に雄スナップ２１を作業性よく固定することが可能となる。また、雄スナップ２１を支持体１１に固定するタッピングねじ１１Ｃにより支持体１１とフレーム１０Ａとを互いに締結された状態として、このフレーム１０Ａに対する支持体１１の固定強度を向上させることができる。
【００１６】
また、雌スナップ２０Ａには、図３に示すように、それぞれが１枚の金属板の曲げ返しによって形成された複数個（図３では２個）のロック部２２と、押し込みにより凹ませることができる（図３の仮想線を参照）金属板からなる押し込み部２３とが組みつけられている。
各ロック部２２は、Ｕ曲げ加工されて雌スナップ２０Ａの周縁部に内外に撓むことができるように配置された板ばね２２Ｂの先端から、雌スナップ２０Ａの中心に向かって係止爪２２Ａを突出させた構成となっている。このため、各ロック部２２は、雌スナップ２０Ａが雄スナップ２１の凸部２１Ａに嵌合される際に、この凸部２１Ａにより一度雌スナップ２０Ａの周縁部側に向かって押し撓ませられる。そして、各ロック部２２は、その各板ばね２２Ｂの弾発力により各係止爪２２Ａを凸部２１Ａの溝２１Ｂに弾性的にはめ込んで係止する。これにより、各ロック部２２は、雌スナップ２０Ａが雄スナップ２１の凸部２１Ａに嵌合したときに同時にこの嵌合を外れないようにロックする。
【００１７】
ここで、各ロック部２２の各板ばね２２Ｂは、上記Ｕ曲げ加工が施された部分を雌スナップ２０Ａの中心側に傾けた状態で押し込み部２３に当接させている。このため、押し込み部２３を外部からの押し込みにより凹ませると、図３に仮想線で示すように、各板ばね２２Ｂにおいて上記Ｕ曲げ加工が施された部分は、凹まされた押し込み部２３により雌スナップ２０Ａの中心側に向かって押し撓ませられる。そして、各ロック部２２は、その各板ばね２２Ｂに生じた撓みにより各係止爪２２Ａを雌スナップ２０Ａの周縁部側に向かって移動させる。
このとき、雄スナップ２１の溝２１Ｂに各ロック部２２の各係止爪２２Ａが係止されていると、この係止は上記各係止爪２２Ａの移動にあわせて外れる。これにより、ロック部２２による雌スナップ２０Ａと雄スナップ２１との嵌合のロックを、押し込み部２３を外部から押し込むことで解除することが可能となる。
【００１８】
上記各構成によれば、支持体１１に前もって固定されたスナップボタン２０の雄スナップ２１にスナップボタン２０の雌スナップ２０Ａを嵌合させることで表示材１２と支持体１１とを結合させ、この結合と同時に結合のロックを行うことができる。このため、表示材１２を支持体１１に取り付ける作業においては、この作業を行う作業者（図示省略）は、容易にかつ作業性よく表示材１２と支持体１１とを外れないように結合させることができる。
また、表示材１２を支持体１１から外す作業においては、この作業を行う作業者（図示省略）は、スナップボタン２０の押し込み部２３を外部から押し込むことで、上記結合のロックを特別な道具によらず容易に解除することができる。これにより、使用時においては表示材１２が支持体１１から外れにくく、かつ、表示材１２を差し替える際においてはこの差し替えの作業性が向上された工事標示板１０を提供することができる。
【００１９】
ところで、雌スナップ２０Ａに組みつけられた押し込み部２３は、図３に示すように、その周縁部が補強枠２３Ａによって補強されている。この補強枠２３Ａは、押し込み部２３に対して異なる色を呈するもの（例えば黒色の押し込み部２３に対して銀色の補強枠２３Ａ）が使用される。
上記構成によれば、押し込み部２３をこの押し込み部２３と補強枠２３Ａとの色の違いによって目立たせることができる。これにより、表示材１２を支持体１１から外す作業を行う作業者（図示省略）は、押し込むべきスナップボタン２０の押し込み部２３を容易に識別して、表示材１２と支持体１１との結合のロックを作業性よく解除することができる。
【００２０】
〈第２の実施形態〉
続いて、本考案の第２の実施形態が適用されたガードフェンス３０の構成について、図４を用いて説明する。このガードフェンス３０は、工事現場（図示省略）の周辺にこの工事現場を取り囲むように並べられることで、人間または車両が上記工事現場に誤って侵入することを抑止するガードフェンスである。ガードフェンス３０は、自立可能なフレーム３０Ａと、このフレーム３０Ａの上部にかしめ部材（図示省略）を介して取り付けられるネット３０Ｂと、金属により環状の枠として形成されてフレーム３０Ａの下部に溶接される支持体３１とを備えている。
支持体３１には、所定の個数（例えば２２［個］）のスナップボタン４０を介して、両面に工事用意匠３２Ａ（例えば黄色と黒色とのトラ縞模様）が表示された表示材３２が取り付けられている。なお、スナップボタン４０の具体的な構成は、このスナップボタン４０の雄スナップ（図示省略）を支持体３１に締結させるタッピングねじ（図示省略）が支持体３１の枠を貫通しない点を除いて、上述した第１の実施形態におけるスナップボタン２０の具体的な構成と同じである。このため、本明細書においては、スナップボタン４０の具体的な構成およびその作用効果について、これらの詳細な説明および図示を省略する。
【００２１】
ところで、表示材３２は、図４に示すように、巻いたり折り畳んだりすることができる柔軟性を有した素材（例えばターポリン）により、支持体３１の枠に対応した大きさおよび形状のシートとして形成されている。このシートの縁部には、スナップボタン４０に係合される取り付け孔３２Ｂが形成されている。
上記各構成によれば、それぞれに異なる工事用意匠が表示された多数の表示材（図示省略）を共通の支持体３１に対して容易にかつ作業性よく差し替えることで、ガードフェンス３０の外観を容易にかつ作業性よく変更することができる。また、支持体３１から外された表示材３２を巻いて丸められた状態（図４参照）あるいは折り畳まれた状態（図示省略）とすることで、この表示材３２を保管する際に必要となる保管スペースを削減することができる。また、支持体３１を環状の枠とすることで、表示材３２の両面に表示された工事用意匠３２Ａを両方とも外部に露見させることができる。
【００２２】
〈第３の実施形態〉
続いて、本考案の第３の実施形態が適用されたバリケード５０の構成について、図５ないし図７を用いて説明する。このバリケード５０は、工事現場（図示省略）に至る道路の路面（図示省略）上に設置されることで、人間または車両が上記工事現場に誤って侵入することを抑止するバリケードである。
バリケード５０は、図５に示すように、自立可能なフレーム５０Ａの上部に支持体５１を取り付け、この支持体５１から表示材５２を吊り下げた構成となっている。ここで、支持体５１は、中空の金属パイプ（図６参照）として形成された支持棒５１Ａを、取り付け部材５１Ｂを介してフレーム５０Ａに取り付けた構成となっている。
【００２３】
表示材５２は、図５ないし図７に示すように、片面に工事用意匠５２Ａ（図５参照）が表示されたシートである本体シート５２Ｃの縁部から、シート状の延長部５２Ｂを延出させた構成とされている。なお、以下においては、便宜的に、表示材５２においてその本体シート５２Ｃに工事用意匠５２Ａが表示されている側の面を「表面」、この表面の反対側の面を「裏面」と設定して説明を行う。
本体シート５２Ｃおよび延長部５２Ｂは、図５および図７に示すように、柔軟性を有した素材（例えばターポリン）によって一体に形成されている。このため、本体シート５２Ｃは、支持体５１から吊り下げられて下側となる一方側（図５では下側）から延長部５２Ｂが延出される他方側に向けて巻いて丸めることができる。さらに、巻いて丸められた本体シート５２Ｃに延長部５２Ｂを外側から巻きつけることで、表示材５２の全体を巻いて丸められた状態とすることができる。これにより、支持体５１から外されて保管される表示材５２に必要となる保管スペースを削減することができる。
【００２４】
延長部５２Ｂは、図５および図６に示すように、支持体５１（図５参照）の支持棒５１Ａに対して巻き付けにより係合することで、支持体５１に表示材５２を支持させることができるようになっている。ここで、延長部５２Ｂには、図６に示すように、スナップボタン６０の雄スナップ６１および雌スナップ６０Ａが、それぞれはとめ６１Ｃ、６０Ｂをかしめることによって対をなすように取り付けられている。
また、表示材５２は、その延長部５２Ｂを支持棒５１Ａに巻きつけて係合させた状態で、スナップボタン６０の雄スナップ６１および雌スナップ６０Ａを互いに着脱可能に嵌合させることができるようになっている。ここで、上記した状態において雄スナップ６１および雌スナップ６０Ａの対が互いに嵌合されると、表示材５２は支持体５１に対して着脱可能に結合され、同時にこの結合がロックされる。この構成によれば、それぞれに異なる工事用意匠が表示された多数の表示材（図示省略）を共通の支持体５１に対して容易にかつ作業性よく差し替えて、バリケード５０の外観を容易にかつ作業性よく変更することが可能となる。なお、上記結合のロックが押し込み部６３の押し込み（図６の仮想線を参照）によって特別な道具によらず容易に解除することができることは、改めて言及するまでもないことである。
【００２５】
なお、スナップボタン６０の具体的な構成は、雄スナップ２１を支持体１１に締結させるためのねじ孔２１Ｃ（図３参照）の代わりに、上記したはとめ６１Ｃ、６０Ｂを有している点を除いて、上述した第１の実施形態におけるスナップボタン２０の具体的な構成と同じである。
このため、本明細書においては、スナップボタン６０の具体的な構成のうちスナップボタン２０の各構成と共通する構成について、このスナップボタン２０の各構成に付した符号からその十の位の数字を「６」に置き換えた符号を付して対応させ、その詳細な説明を省略する。
【００２６】
ところで、スナップボタン６０において、雄スナップ６１は、図６および図７に示すように、延長部５２Ｂ上において表示材５２の裏面側（図７では内側）に凸部６１Ａを突出させるように配設されている。また、雌スナップ６０Ａは、延長部５２Ｂ上において表示材５２の表面側（図７では外側）から雄スナップ６１の凸部６１Ａを差し込むことができるように配設されている。
これにより、スナップボタン６０の雄スナップ６１および雌スナップ６０Ａは、図７に示すように、延長部５２Ｂが上記一方側から上記他方側に向かって巻いて丸められた本体シート５２Ｃの外側に巻きつけられた状態において、互いに着脱可能に嵌合することができるようになっている。ここで、上記した状態において雄スナップ６１および雌スナップ６０Ａの対が互いに嵌合されると、同時に表示材５２は巻いて丸められた状態から広がらないようにロックされる。これにより、保管に際して全体が巻いて丸められた状態とされた表示材５２を取り扱いやすくすることができる。なお、上記結合のロックが押し込み部６３の押し込みによって特別な道具によらず容易に解除することができることは、改めて言及するまでもないことである。
【００２７】
本考案は、上述した第１ないし第３の各実施形態で説明した外観、構成に限定されず、本考案の要旨を変更しない範囲で種々の変更、追加、削除が可能である。例えば、以下のような各種の形態を実施することができる。
（１）本考案における表示材の差し替えは、それぞれに異なる工事用意匠が表示された複数の表示材の差し替えに限定されない。すなわち、例えば平板またはシートとして形成された１枚の表示材の各面にそれぞれ異なる工事用意匠を表示させ、支持体から外した表示材を裏返して上記支持体に取り付けなおすことで上記表示材を差し替えられた状態とする構成を採用することができる。
（２）上述した第１および第２の各実施形態において、表示材にスナップボタンの雌スナップを前もって固定した構成を採用することができる。この場合、表示材を差し替える際にスナップボタンの雌スナップを別に扱う必要がなくなるので、表示材の差し替えの作業性が向上される。
（３）上述した第３の実施形態において、本体シートから延出される延長部を、シートからひもまたは帯に変更することができる。この場合において、上記ひもまたは帯の太さおよび幅ならびに本数は特に限定されない。
（４）支持体または表示材に対して雄スナップまたは雌スナップを固定する際の固定方法は、上述した第１ないし第３の各実施形態で説明したタッピングねじまたははとめを使用した固定方法に限定されず、例えば接着剤を用いた接着など、任意の固定方法とすることができる。
【符号の説明】
【００２８】
１０    工事標示板
１０Ａ  フレーム
１１    支持体
１１Ａ  板面（外表面）
１１Ｂ  タッピングねじ
１１Ｃ  タッピングねじ
１１Ｄ  共通コンテンツ
１２    表示材
１２Ａ  工事用意匠
１２Ｂ  取り付け孔
２０    スナップボタン
２０Ａ  雌スナップ（嵌合部）
２１    雄スナップ（被固定部）
２１Ａ  凸部
２１Ｂ  溝
２１Ｃ  ねじ孔
２２    ロック部
２２Ａ  係止爪
２２Ｂ  板ばね
２３    押し込み部
２３Ａ  補強枠
３０    ガードフェンス
３０Ａ  フレーム
３０Ｂ  ネット
３１    支持体
３２    表示材
３２Ａ  工事用意匠
３２Ｂ  取り付け孔
４０    スナップボタン
５０    バリケード
５０Ａ  フレーム
５１    支持体
５１Ａ  支持棒
５１Ｂ  取り付け部材
５２    表示材
５２Ａ  工事用意匠
５２Ｂ  延長部
５２Ｃ  本体シート
６０    スナップボタン
６０Ａ  雌スナップ（嵌合部）
６０Ｂ  はとめ
６１    雄スナップ（被固定部）
６１Ａ  凸部
６１Ｂ  溝
６１Ｃ  はとめ
６２    ロック部
６２Ａ  係止爪
６２Ｂ  板ばね
６３    押し込み部
６３Ａ  補強枠
【図１】
0003185802.tif 000003
【図２】
0003185802.tif 000004
【図３】
0003185802.tif 000005
【図４】
0003185802.tif 000006
【図５】
0003185802.tif 000007
【図６】
0003185802.tif 000008
【図７】
0003185802.tif 000009